(57)【要約】【課題】  テーブルを幼児用の室内遊びの重要な場と位置付け、テーブルの天板面に様々な遊びやプレイが可能な構成を付与すると共に、この天板面に様々な遊戯部品を組み合わせて遊ぶことができるようにすることにより、幼児本人に自分の遊びについて試行錯誤を促し、また、そのような遊戯を通して自主性と創造性を育てることができるようにした、幼児用テーブルを利用した知育玩具を提供すること。【解決手段】  適宜大きさの天板１と着脱自在で高さ変更可能な脚を設けた幼児用テーブルにおいて前記天板１の一面にダボ穴状の穴２を規則的に設けると共に、前記穴２に挿入できる複数のピン４と、該ピン４と同様の足、又は、前記ピン４又は足が入る穴２を具備した種々な形態の遊戯部品20〜24を、前記天板２の適宜の穴２に、前記ピン４又は足を挿入して保持させることにより、少なくとも二種以上の遊戯ができる遊戯面が形成されるようにしたこと。【選択図】図６
2005253782.tif 000002
【特許請求の範囲】
【請求項１】
適宜大きさの天板と着脱自在で高さ変更可能な脚を設けた幼児用テーブルにおいて前記天板の一面にダボ穴状の穴を規則的に設けると共に、前記穴に挿入できる複数のピンと、該ピンと同様の足、又は、前記ピン又は足が入る穴を具備した種々な形態の遊戯部品を、前記天板の適宜の穴に、前記ピン又は足を挿入して保持させることにより、少なくとも二種以上の遊戯ができる遊戯面が形成されるようにしたことを特徴とする幼児用テーブルを利用した知育玩具。
【請求項２】
天板は、脚を有する天板支持フレームにはめ込み式で着脱自在に設けた請求項１の知育玩具。
【請求項３】
天板面は木質系や段ボール紙などの天然素材で形成した請求項１又は２の知育玩具。
【請求項４】
脚は、このテーブルを使用する幼児の年令や体格、或は、幼児の遊ぶ姿勢などに応じて、天板の高さを任意に変更できるように形成した請求項１〜３のいずれかの知育玩具。
【請求項５】
脚の高さ（長さ）を、適宜の単位長さ（２〜５cm程度）に形成した１又は２以上の調整用脚部材、或は、長さが異なる２以上の調整用脚部材を、脚本体に接続したり、取外したりすることにより調節するようにした請求項４の知育玩具。
【請求項６】
脚本体と長さ調整用の脚部材との接続構造、或は、脚部材同士の接続構造は、接合すべき端面に設けた雄ネジと雌ネジ、或は、互に嵌合して捩ることにより脱着ができる抜止めキーを備えた凹部と凸部など、適宜の離接自在の接続構造を具備した請求項５の知育玩具。
【請求項７】
遊戯部品の一つは、天板背面の穴に挿入できるピン状の足を少なくとも１本乃至２本以上を有すると共に、ガイドとなる溝部乃至段部を上側辺に沿って形成した２種以上の長さを有する直線状又は緩い円弧状の棒状部材を、円板体や球体の転がりガイド部品として形成した請求項１〜６のいずれかの知育玩具。
【請求項８】
転がりガイド部品は、ビー球などの球体又はコイン状の円板体若しくは星形や多角形の回転体による遊戯媒体の転動を案内する溝部乃至段部を備えた請求項１〜７のいずれかの知育玩具。
【請求項９】
遊戯部品の他の一つは、テーブル裏面の穴に挿入できるピン状の足を少なくとも１本有し、前記遊戯媒体の動作始め，動作中，動作終りのいずれかをそれぞれに支持案内するスタート部品，回転ポケット，ストッパ又は行き止り部品である請求項１〜８のいずれかの知育玩具。
【請求項１０】
遊戯部品のその他の一つは、天板裏面の穴に挿入したピンに装着される羽根車や糸巻き部品など遊戯媒体によって回転させられる回転体である請求項１〜９のいずれかの知育玩具。
【請求項１１】
糸巻き部品は、その胴部に糸を巻付けその糸の末端に球などの遊戯媒体を受入れる容器を設けた請求項10の知育玩具。
【請求項１２】
遊戯部品の別の一つは、天板裏面の穴に挿入できるピン状の足を裏面に設けた文字，図形，記号、或は、動物，植物，人工の物などを模した形象物のいずれかである請求項１〜11のいずれかの知育玩具。
【発明の詳細な説明】
【技術分野】
【０００１】
本発明は、幼児用のテーブルを利用した知育玩具、より具体的には幼児の年令や体形、遊ぶときの姿勢などに合せて天板の高さを自由に変更できることができる幼児用テーブルの天板を支える脚を取外し自在にして脚を取外したり、天板のみをフレームから取外して、その天板をプレイボードなどとして活用できるようにした幼児用の知育玩具に関する。
【背景技術】
【０００２】
従来より、幼児専用に造られた様々な形態をとるテーブルが知られているが、これらは専らテーブルとしての機能が優先されているため、簡単な遊戯やおもちゃなどを天板の隅部などに具備したものもあるが、これらの遊具やおもちゃは好奇心が旺盛であらゆる試みを好む幼児から見れば不充分な装備でしかないと考えられる。
【発明の開示】
【発明が解決しようとする課題】
【０００３】
幼児が長時間テレビやビデオを見て過ごすことは深刻な社会問題となっているが、いわゆる核家族化や両親が共働きの家庭が増える中、テレビやビデオなどを子守りとして頼る傾向は強い。
そこで本発明では、テーブルを幼児用の室内遊びの重要な場と位置付け、テーブルの天板面に様々な遊びやプレイが可能な構成を付与すると共に、この天板面に様々な遊戯部品を組み合わせて遊ぶことができるようにすることにより、幼児本人に自分の遊びについて試行錯誤を促し、また、そのような遊戯を通して自主性と創造性を育てることができるようにした、幼児用テーブルを利用した知育玩具を提供することを、課題とする。
【課題を解決するための手段】
【０００４】
上記課題を解決することを目的としてなされた本発明の幼児用テーブル利用の知育玩具の構成は、適宜大きさの天板と着脱自在で高さ変更可能な脚を設けた幼児用テーブルにおいて前記天板の一面にダボ穴状の穴を規則的に設けると共に、前記穴に挿入できる複数のピンと該ピンと同様の足、又は、前記ピンが入る穴を具備した種々な形態の遊戯部品とを、前記天板の適宜の穴に、前記ピン又は足を挿入して保持させることにより、少なくとも二種以上の遊戯ができる遊戯面が形成されるようにしたことを特徴とするものである。
【０００５】
本発明の知育玩具に展開できる幼児用テーブルでは、その天板を、脚を有する天板支持フレームにはめ込み式で着脱自在に設けた構成とすることができる。本発明テーブルの少なくとも天板面は、木質系や段ボール紙などの天然素材で形成したものが望ましい。この天板の平面形状は四角形を始めとする任意の多角形、或は、円形，長円形，楕円形などであってもよい。天板の辺の長さは、長辺側を幼児の腕の長さの２倍程度を目安として形成する。体格が小さい幼児がこの天板の外周上に立って当該天板のほぼ全域に自分の手が届くことが望ましいからである。また、天板上面の縁には、段差や枠を設けないフラットな形態が望ましい。
【０００６】
一方、上記天板に着脱自在に取付ける脚は、天板が四角形の場合、通常、その裏面四隅乃至その近傍に設けるが、四隅でない部位や裏面でない部位に設けることもある。要は、天板が水平姿勢で所望の高さに保持される脚の取付態様であればよい。例えば、図示しないが天板の四隅において当該天板の角を上下から挟むクランプ状の締結具を介して脚を取付けることもある。
【０００７】
上記のようにして天板を所望の高さに支持する脚は、このテーブルを使用する幼児の年令や体格、或は、幼児の遊ぶ姿勢などに合せて、天板を任意の高さに変更し、それを保持できることが望ましい。このため本発明では、脚の高さ（長さ）を、適宜の単位長さ、例えば２〜５cm程度に形成した１又は２以上の高さ調整用の脚部材、或は、長さが異なる２以上の高さ調整用の脚部材を、脚本体に接続したり、取外したりすることにより、脚全体の長さを調節して天板の高さを変更できるようにする。
【０００８】
脚本体と長さ調整用の脚部材との接続構造、或は、脚部材同士の接続構造は、接合すべき端面に設けた雄ネジと雌ネジや、互に嵌合して捩ることにより脱着ができる抜止めキーを備えた凹部と凸部など、適宜の離接自在の接続構造を採ることができる。
【０００９】
上記の天板と脚を具備したテーブルは、この例ではその天板の裏面略全面に、ダボ穴状の穴を規則的に列設した構造を具備している。天板の裏面全面に設けられた穴は、この天板をプレイボード（或は遊戯面）とする知育玩具として使用するための不可欠の要素である。
【００１０】
そして、上記テーブルを知育玩具として利用するため本発明では、上記天板の裏面に列設した穴に挿入できるピン状の足を具備した様々な形態の遊戯部品と、前記足と同様形態の多数のピンとを備える。このピン状の足を有する遊戯部品とピンについては、以下の実施の形態において詳述する。
【発明の効果】
【００１１】
適宜大きさの天板の隅部に着脱自在で高さ変更可能な脚を設けてテーブルに形成すると共に、該テーブルの一面を少なくとも二種以上の遊戯ができる遊戯面に形成した、具体的には、天板の裏面略全面に、ダボ穴状の穴を規則的に列設した構造を具備させると共に、前記天板の裏面に列設した穴に挿入できるピン状の足を具備した様々な形態の遊戯部品と、前記足と同様形態の多数のピンとによりテーブルを利用して２種以上の遊びができる知育玩具としたので、幼児に自主性を養わせたり、ものを創ることの楽しみを知覚させるなど知育玩具としてきわめて有用である。
【発明を実施するための最良の形態】
【００１２】
次に本発明テーブルとそれを利用した知育玩具の実施の形態例について、図を参照しつつ説明する。図１は本発明知育玩具に利用する幼児用テーブルの一例の斜視図、図２は図１のテーブルにおける天板と脚の接合構造例の要部の断面図、図３は図１のテーブルにおける脚部材の接合構造の一例の断面図、図４は図１のテーブルにおける脚部材の接合構造の他の例の断面図、図５は図１のテーブルにおける本発明テーブルの他の例の天板支持フレームの平面図、図６は天板裏面を上面にした図１のテーブルの斜視図、図７は天板の裏面を示した正面図、図８は天板裏面の穴に挿込むピンの斜視図、図９〜図29は、それぞれ前記ピンと同様の足を少なくとも１本具備して形成した各遊戯部品を説明するための図、図30はピンに吊下げる鈴状の鳴り物部品の正面図、図31〜図34は、それぞれに図８のピン並びに図９〜図30の遊戯部品の中から選択した部品を天板裏面の穴またはピンに適用した遊戯面或は遊戯状態の４つの例を説明するための正面図である。
【００１３】
図１〜図７は本発明で用いる幼児用テーブルの一例について、その概要を説明するための図である。図１〜図７において、１は木質系板材、例えばムク材，チップボード，合板などにより形成した天板で、ここでは図７の天板裏面図に例示するように、正方形に近い長方形を採択している。本発明テーブルにおける天板１の平面形状は正方形，長方形のいずれでもよいことは勿論、その他の多角形、或は、円形乃至その類似形状など、任意の平面形状を採択することができる。天板１の一辺の長さは、長辺が幼児の腕の長さの２倍程度を標準とする。
【００１４】
天板１の表面1aは、全面フラットであり外周縁辺に段差を設けないことをその特長の一つとする。天板の厚さとしては20mm前後を採択するが、これに限られるものではなく、厚さは20mm以下、またはそれ以上であっても構わない。天板１の表面1aを着色するかどうかも任意である。
【００１５】
上記天板１の裏面1bには、図８の正面図に例示するように、小径の穴、一例として直径８mm前後、深さ10〜12mm程度の穴２が、ここでは斜め格子状をなす配列で、天板裏面1bの全面に設けられている。因みに、各穴２のピッチは、上下方向と左右方向では38mm前後、斜め方向では34mm前後にしている。その理由は、ゲーム媒体に用いるビー玉の外径（25mm程度）やメダルなどの円板体の外径を考慮したからである。従って、使用するゲーム媒体の大きさによって、各穴２のピッチをどの程度にするかが決まる。また、本発明において、天板裏面1bの穴２の直径や深さも、上記例に限られるものではなく、更に穴２の配列パターンも、他のパターンであってもよい。
【００１６】
表面1aが全面フラットで裏面1bの全域に、穴２を列設した天板１の四隅には、高さ調節機能を具備した４本の脚３が設けられ、この４本の脚３とそれに支持された天板１によって本発明で用いる幼児用テーブルの一例が形成される。
【００１７】
上記テーブルにおける４本の脚３は、図２に示した例では天板１の表面1aの四隅、裏面1bの四隅のいずれの側にも脱着式で装着可能にしている。これは天板裏面1bを、脚３を付けた状態で本発明知育玩具のプレイ面（遊戯面ともいう）として使用したり、脚３を取外し、図７に例示するように壁などに立て掛けた状態で知育玩具のプレイ面として使用するためである。なお本発明に用いるテーブルにおいては、天板裏面1bを上面にする脚３の上記例のような取付態様を採用しないこともあり、この点は任意に選択することができる。
【００１８】
脚３は、断面丸形，角形，その他の多角形やＬ状など、任意の断面形状の部材を脚３として用いることができ、各脚３と天板１との接合構造の例としては、図２に例示したように、脚３の上端面側に雌螺糸筒3aを埋設しておき、この雌螺糸筒3aに、天板１の四隅に形成したボルト穴又はビス穴からボルト又はビスなどの螺子杆3bをネジ込むことにより、天板１と各脚３とを接合する構造がある。この接合構造を採れば、脚３天板１の表面1aと裏面1bのいずれの側にも取付可能であるから図２の形態の本発明に用いるテーブルの一例を実現できる。
【００１９】
上記例のようにして天板１に取付けられて本発明に用いる幼児用テーブルを形成する脚３は、このテーブルを使用する幼児の体格などに合せられるようにするためその高さ（長さ）を自由に調節できる構造を備えている。即ち、図３，図４がその高さ調節構造の例である。図３では、脚３と同断面形状で短かい（例えば２〜５cm程度）の脚部材31の下面に雌螺子穴31aを設けると共に上面に雄螺子ダボ31bを設け、脚３の下端面に設けた雌螺子穴3cに、最上位の脚部材31の雄螺子ダボ31bを螺入すると共に、当該脚部材31の下に所要個数の脚部材31を、その穴31aとダボ31bにより接合して脚３の全長を設定する。
【００２０】
図４は、脚３の下端部に雌螺子部材3dを埋設する一方、各脚部材31には、螺子杆32の貫通孔31cを設けると共に、底面に螺子杆の頭の受部31dを座ぐっておき、所要個数の脚部材31を積層状態で、螺子杆32によって雌螺筒3dに結合する態様で、脚３の長さ（高さ）を調節する形態例である。
【００２１】
上述した幼児用テーブルの例は、天板１に脚３を直接取付けたテーブル形態であったが、本発明では、図５に例示したように、四隅に平断面略Ｌ状の脚３を設けた天板支持フレーム1cを造り、このフレーム1cにはめ込み式で天板１を装着して本発明テーブルに構成してもよい。図５は脚３を四隅に設けた四角枠状の天板支持フレーム1cの一例の平面図である。また、この場合の脚３の平断面は略Ｌ状であるが、この脚３の断面形状や取付状態は、図５の例に限られるものではない。なお、1dはフレーム1cの隅部補強材である。
【００２２】
上記例のように構成される本発明に用いる幼児用テーブルは、その天板表面1aをテーブル面とするときは、公知の幼児用テーブルと同様に、その上で食事や読書，おもちゃ遊びなどに使用する点で、従来のテーブルと特に変らない。
【００２３】
しかし、本発明に用いる幼児用テーブルは、天板１の裏面1bに設けた多数の穴２を利用して、様々な遊び（プレイ又は遊戯）が可能な知育玩具として利用できるようにした点に特徴があるので、以下この点について説明する。なお、天板裏面1bは、図６に例示した状態でテーブルと同じ姿においてプレイ面として使用したり、脚３を取外した天板１を壁などに立てかけてプレイ面として使用することができ、どの形態で用いるかは、使用する側で任意に選択することができる。
【００２４】
本発明に用いる幼児用テーブルにおいてできる遊戯の例の説明に先立ち、その遊戯に使用する遊戯部品の例について、図８〜図30により説明する。図８は、天板１の裏面に設けた穴２に挿込むピン４を示しており、一例として直径が７〜7.5mmφ、長さを30〜40mm程度に形成したものである。このピン４は、木質系材で形成することが望ましいが、プラスチック製や金属製であっても構わない。なお、図８の4aはピン穴２に挿込まれる部分を示している。また、ピン４は、その長さが２種類以上あってよく、ピン４の数も穴２の数と同じであれば十分であるが、少なくとも穴数の１／３程度の本数であることが望ましい。
【００２５】
本発明において、天板１とその裏面の穴２にピン４を所要のパターンで配設されるように挿込んで設けたプレイ面（遊戯面ということもある）では、例えば、図22の正面視ほぼ星形状をなす人形５を、その人形５の外周上に形成された５個の略Ｖ字状の谷が、この人形５が転動するときに立設した各ピン４に支持され、この人形５が次々とピン４の間を転動して天板裏面1bを上部から下部へ独りでに移動する遊びを行うことができる。この遊びのためには、例えば、天板１から脚３を全部外してその天板１を壁際に立て掛けたり、下部になる側の２本の脚３を取外して上部側の２本の脚３により傾斜面を作って行う。
【００２６】
図９，図10は、天板裏面1bの穴２を利用して、コイン状の回転体の転動をガイドする棒状のガイド部品６の例であり、ここでは棒状のガイド部品６の裏面の左側にピン４と同断面形状で短かい足6aを設けると共に、中間部より右側に、ピン４又はピン４と同様の足6aが入る穴6dを適宜の間隔で複数個設けている。また、ガイド部品６の上，下辺はその裏面側にコインなどの回転する円板体の通路となる段部状の溝6bと6cを形成している。上，下の溝6b，6cはこの部材６の上，下の方向性をなくすためである。なお、前記穴6dのピッチや数はこのガイド部品６を天板裏面1bに設けるとき、所望の傾きを選択して実現するためである。また、このガイド部品６はその長さが図示した程度のもののほか、これより短かいものをプレイの多様化のために５〜６種類用意する。
【００２７】
図11は、ビー玉などの球体の転動をガイドする棒状のガイド部品７を、その長さ方向の中間を省略して示した例であり、この部品７も裏面の一端側に固定された足7aを有すると共に、他の端側にピン４又は同様の足7aを入れるための複数の穴7cを設けており、前面側には、球体が落下することなく転動できるようにするため浅い樋状部7bが形成されている。この棒状ガイド部品７も、上記のガイド部品６と同じ趣旨で長さが異なるものを、一例として６種類くらい用意することがプレイの多様化を図る上で望ましい。
なお、上述した２つのガイド部品６，７の天板裏面1bへの取付け態様は、上記の説明のものに限られるものではなく、ガイド部品６又は７を天板裏面1bの穴２に所望の傾きで配置できるものであればよい。
【００２８】
図12，図13は、天板裏面1bのプレイ面において、上記のガイド部品６や７によって天板裏面1bにレイアウトするコイン状の回転体やビー玉状の球体による遊戯媒体の転動をガイドする円形部品８と９を例示した図である。これらの部品８と９は、外形が円形であるので転動してコイン状や球状の遊戯媒体が衝突するとその媒体が思わぬ方向へ飛び跳ねるので、遊びの興味を一層高める役割がある。一方の円形部品８は裏面の水平ライン上に２本の足8aを有し、表面にダボ状の凸部8bを有している。他方の円形部品９は裏面中央に１本の足9aを有し、円板の厚みが上記凸部8bと同じ位に形成されている。図14は浅い凹状に弯曲した棒状のガイド部品10の正面図で、この部品10は裏面両端に２本の足10aを具備しており、転動して来る遊戯媒体をその弯曲面によってガイドするための部品として用いたり、天板裏面1bに適宜の形象物を造るときの部品として用いられる。
【００２９】
図15は、ベース状の部材11aの裏面に、ほぼ逆ハ字状をなすガイド溝11bを設けて成り、メダル状又は球状の遊戯媒体による転動ゲームを始める時の媒体投入部となるスタート部品11の背面図である。なお、11cは投入部11の裏面に設けた２本のピン状の足である。図16は、短かい棒状体12bの裏面両端に足12aを設けたストッパ12の正面図で、上記のガイド部品６や７を主体的に使用した天板裏面1bのプレイ面において、遊戯媒体の例えば転動終端部にストッパとして設けたり、天板裏面1bにおける他の遊戯において、適宜の形象物を造るときの部品として用いられるものである。
【００３０】
図17，図18は、例えば球状の媒体をガイド部品６の配列によってプレイ面を転動落下させるとき、その中間部分に配設し転動して来る球状媒体を受け入れるようにした、ここではバケツ状をなす回転ポケット13と14の正面図であり、媒体がこのポケット13又は14に入ると、このポケット13，14の底側に設けた傾斜底面13b，14bと媒体重量によって、各ポケット13又は14は、その足13a又は14aを中心に左又は右に回転し、このポケット13又は14に入った球状媒体を排出することにより、球状媒体を回転ポケット13又は14が傾く側に案内するためのものである。回転ポケット13，14に上記のような動作をするため、回転ポケット13と14の裏面に設ける足13aと13bは、上記傾斜底面13b，14bの近傍に設けられている。
【００３１】
図19は、穴２に挿込まれたピン４に、使用済み糸巻き15aの芯穴を通して回転自在に支持させ、この糸巻き15aに巻付けた細紐15bの下端にバケツ状の容器15cを連結した回転動作をする遊戯部品15の例である。ピン４と糸巻き15aの芯穴の間には、ゆるい捩りバネ（図に表われず）を介装して、そのバネ力によって糸巻き15aは常に巻付けた紐15bを巻込む側に保持するようにしておき、容器15cにビー玉などの遊戯媒体が入るとその重量で容器15cが降下して紐15bが繰出され、これによって糸巻き15aを回転させるようにしている。なお、15dはピン４の根元側に取付けた安定板である。
【００３２】
図20は、穴２に入るピン状の足16bを具備した小円板16aに羽根16cを４枚〜６枚程度設けた、図の例では羽根16cを６枚設けた羽根車16の正面図で、天板裏面1bの穴２に足16bを挿して配置し、転動落下するビー玉等の遊戯媒体が羽根16cに当ることにより、この羽根車16を回転させると共に媒体の転動方向を変えさせてゲームの興味を盛上げるためのものである。
【００３３】
図21は、コイン状の媒体の転動を案内する前述した棒状のガイド部品６や、ビー玉などの媒体の転動を案内する前述の棒状のガイド部品７を使用して天板裏面1bに形成したゲーム面において、前記転動する媒体の転動動作のエンド部に配置される行き止まり部品17の例を示したもので、ここでは正面略凹状をなす主部材17aの裏面に２本の足17bを設けて形成されている。
【００３４】
図23，図24は、一例として矩形（図23）や三角形（図24）の本体18a，19aの裏面に穴２に挿込まれる足18b，19bを設けた飾り部品18，19を示すもので、この部品18，19の本体18aや19aの形状は図示した例のほか、円形や菱形など任意の形状のものが選択できる。これらの飾り部品は、天板裏面1bに適宜の形象物などを造るときにもその部品として利用する。
【００３５】
図１〜図７で例示した幼児用テーブルの裏面1bを利用した本発明知育玩具に用いる遊戯部品の例を図８〜図24に例示して挙げたが、本発明では上記部品のほか、装飾的部品、或は、文字などの訓練使用などにも使える遊戯部品として、図25〜図30に例示する各種の文字や形象物などの遊戯部品（以下、文字，形象物の遊戯部品20〜25という）も使用する。ここで、図25〜図29は、文字や記号、図形などを描いた小板片、或は、そのような文字や図形などの輪郭に切抜いた小板片によって形成された各遊戯部品20〜24であり、各部品20〜24はそれらの裏面に図に表われないピン状の足を少なくとも１本設けて、天板裏面1bの任意の位置の穴２に、これらを選択的に取付けることができるようになっている。
【００３６】
また、図30に示した鈴を模した鳴り物形の形象部品25は、実際に音が出る小さい鈴を用い、その上部のリング25aを、穴２に挿込んだピン４に吊るすようにして使用する。このように音がでる鳴り物形の形象部品25を用いると、転動する媒体が当って鈴の音などの音が発されるので、ゲームの興味をさらに盛上げることができる。
【００３７】
以上に述べた本発明幼児用テーブルの天板裏面1bと、その面の全域に設けた穴２の位置を選択して、そこにピン４や選択した種々の部品の足を挿込んで形成される遊戯面（プレイ面）の例について、図31〜図34により説明する。なお、図31〜図34は、天板１を壁に立てかけた状態の例を示しているが、本発明の天板裏面1bは、図６に例示したテーブルと同じ水平姿勢においても、様々なプレイ，遊び，形象物などの造形などに利用できる。
【００３８】
図31は、ビー玉などの球状媒体の転動を支持，案内する図11の棒状ガイド部品７の長さの異なるもの複数と、図17の左回転ポケット13を４個と、図18の右回転ポケット14を３個と、図８のピン４を18本と図28の数字の部品23を２個と図20の羽根車16を１個と、前記ピン４に吊下げた鈴の鳴り物形の形象部品25を２個と図16のストッパ12を２個を使用し、これらを天板裏面1bの穴２に、図31の正面図に示す態様で取付けてプレイ面の一例を形成したものである。
【００３９】
図32は、メダル状の円板状媒体の転動を支持案内する図９の棒状ガイド部品６の長さの異なるもの複数本、図12，図13に例示した円形部品８と９をそれぞれ１個、図15の媒体投入部となるスタート部品11を１個、図20の羽根車16を１個、図16のストッパ12の２個を使用し、これらを天板裏面に1bの穴２に夫々のピン状の足を挿込んで図32の態様のプレイ面の例を形成したものである。
【００４０】
図31，図32のプレイ面は、それぞれビー玉などの球状媒体、或は、コインなどの円板状媒体を、このプレイ面の上を転動させることにより、その媒体の運動，動きなどをゲーム的に楽しむものであるが、本発明知育玩具はビー玉などのゲーム媒体をプレイ面を転動させる遊びだけでなく、図33や図34に示すように、天板裏面1bの穴２を利用して、絵画的なものの表示、物語的なものの表示などをその部品を使用して造形することができる。
【００４１】
即ち、図33は、多数のピン４を表現したい形象物乃至形象体に沿って各穴２に挿込み、挿込まれた各ピン４に、例えばカラフルな毛糸などの紐26を掛回して張ることにより、図33の例ではモミの木の姿を表し、この紐26で表されたモミの木の中に設けたピン４に、市販品や手造りによる種々の形態の装飾品Dfを吊してクリスマスツリーを表現した例である。
【００４２】
図34は、図12，図13の円形部品８と９、図14〜図16に示した各部品10，11，12、ピン４に吊下げられる手造り或は市販の複数形態の装飾品Dfなどを用いて、人の顔や街の風景などを天板裏面1bのプレイ面に形成した例である。図33，図34の各部品を使用した造形遊びやその他のプレイは、天板裏面1bを図６に示したテーブル状に保持しているときにも行うことができる。
【００４３】
上述したように本発明知育玩具は、裏面1bの全域に規則的に穴２を設けた幼児用テーブルの天板１と、前記穴２に支持される足を有する様々な形態の遊戯部品４〜19、及び、文字等や形象物などによる遊戯部品20〜25、並びに、例示しない他の部品により構成されるので、全ピン４の中から適宜複数本のピン４を抽出すると共に、これらのピン４と前記遊戯部品の中から所望の部品を選択し、選択した部品の足を前記穴２の中の所望の穴に差込んで、転動する球状，円板状の媒体を使用するプレイ面を自由な形態に自在に形成することができるのみならず、自然物や街の情景、人物，動物などを前記部品を利用して造形することができる。
【産業上の利用可能性】
【００４４】
本発明は以上の通りであって、表面がフラットな天板に高さ調節自在の脚を設けて幼児用テーブルを形成すると共に、その天板裏面全域に、ピンやピン状の足を挿込む穴を規則的に設け、この穴に挿込まれる足を備えた多種多様の遊戯部品によって、球やコインを使ったゲーム面を形成するのみならず、自然物から人工の物まで、或は、文字などをポップな形態で天板裏面に表現することができるから、本発明テーブルと遊戯部品のセットがあれば、幼児が抱きることなく様々な遊び、並びに、その遊びの内容を創造的に作り出して楽しむことが可能になるという、きわめて画期的かつ顕著な効果を期待できる知育玩具を提供することができる。
【図面の簡単な説明】
【００４５】
【図１】本発明知育玩具におけるテーブルの一例の斜視図。
【図２】図１のテーブルにおける天板と脚の接合構造例の要部の断面図。
【図３】図１のテーブルにおける脚部材の接合構造の一例の断面図。
【図４】図１のテーブルにおける脚部材の接合構造の他の例の断面図。
【図５】図１のテーブルにおける本発明テーブルの他の例の天板支持フレームの平面図。
【図６】天板裏面を上面にしたテーブルの斜視図。
【図７】図６の天板裏面の正面図。
【図８】図７の天板裏面の穴に挿込むピンの一例の斜視図。
【図９】コイン状の円板体の転がりをガイドする遊戯部品の一つである棒状のガイド部品の一例の背面図。
【図１０】図９の棒状部材の拡大側面図
【図１１】ビー玉状の球体の転がりをガイドする遊戯部品の一つである棒状のガイド部品の他の例の中間を省略した斜視図。
【図１２】遊戯部品の一つである円形部品の一例の正面図。
【図１３】遊戯部品の一つである円形部品の他の例の正面図。
【図１４】遊戯部品の一つである弯曲した棒状のガイド部品の正面図。
【図１５】遊戯部品の一つであるスタート部品の正面図。
【図１６】遊戯部品の一つであるストッパ部品の正面図。
【図１７】遊戯部品の一つである左回転ポケット部品の一例の正面図。
【図１８】遊戯部品の一つである右回転ポケット部品の他の例の正面図。
【図１９】遊戯部品の一つである糸巻き回転部品の正面図。
【図２０】遊戯部品の一つである羽根車の正面図。
【図２１】遊戯部品の一つである行止まり部品の斜視図。
【図２２】遊戯部品の一つである回転人形の正面図。
【図２３】遊戯部品の一つである四角形飾り部品の正面図。
【図２４】遊戯部品の一つである三角形飾り部品の正面図。
【図２５】遊戯部品の一つである平仮名文字部品の一例の正面図。
【図２６】遊戯部品の一つである片仮名文字部品の一例の正面図。
【図２７】遊戯部品の一つであるローマ文字部品の一例の正面図。
【図２８】遊戯部品の一つである数文字部品の一例の正面図。
【図２９】遊戯部品の一つである記号部品の一例の正面図。
【図３０】遊戯部品の一つである鈴状の鳴り物部品の一例の正面図。
【図３１】図８のピン、並びに、図９〜図30の遊戯部品の中から適宜選択した部品を天板裏面の穴に挿込んで形成した遊戯状態の第一例を説明するための正面図。
【図３２】図８のピン並びに図９〜図30の遊戯部品の中から適宜選択した部品を天板裏面の穴に挿込んで形成した遊戯状態の第二例を説明するための正面図。
【図３３】図８のピン並びに図９〜図30の遊戯部品の中から適宜選択した部品を天板裏面の穴に挿込んで形成した遊戯状態の第三例を説明するための正面図。
【図３４】図８のピン並びに図９〜図30の遊戯部品の中から適宜選択した部品を天板裏面の穴に挿込んで形成した遊戯状態の第四例を説明するための正面図。
【符号の説明】
【００４６】
１        天板
1a        天板の表面
1b        天板の裏面
２        穴
３        脚
3a        雌螺糸筒
3b        螺子杆体
3c        雌螺子穴
3d        雌螺子部材
31        脚部材
32        螺子杆
４        ピン
4a        穴挿入部
５        回転人形
６        コイン等の回転体用の棒状ガイド部品
6a        足
6b，6c    段部状の溝
6d        穴
７        ビー球などの球体用の棒状ガイド部品
８，９    円形部品
10        弯曲した棒状部品
11        投入用のスタート部
12        ストッパ
13，14    バケツ状の回転ポケット
15        糸巻き回転部品
16        羽根車
17        行き止まり部品
18，19    飾り部品
20〜24    文字，記号による部品
25        鳴り物状の形象部品
26        毛糸などの紐
Df        人形などの形象物による装飾品
【図１】
2005253782.tif 000003
【図２】
2005253782.tif 000004
【図３】
2005253782.tif 000005
【図４】
2005253782.tif 000006
【図５】
2005253782.tif 000007
【図６】
2005253782.tif 000008
【図７】
2005253782.tif 000009
【図８】
2005253782.tif 000010
【図９】
2005253782.tif 000011
【図１０】
2005253782.tif 000012
【図１１】
2005253782.tif 000013
【図１２】
2005253782.tif 000014
【図１３】
2005253782.tif 000015
【図１４】
2005253782.tif 000016
【図１５】
2005253782.tif 000017
【図１６】
2005253782.tif 000018
【図１７】
2005253782.tif 000019
【図１８】
2005253782.tif 000020
【図１９】
2005253782.tif 000021
【図２０】
2005253782.tif 000022
【図２１】
2005253782.tif 000023
【図２２】
2005253782.tif 000024
【図２３】
2005253782.tif 000025
【図２４】
2005253782.tif 000026
【図２５】
2005253782.tif 000027
【図２６】
2005253782.tif 000028
【図２７】
2005253782.tif 000029
【図２８】
2005253782.tif 000030
【図２９】
2005253782.tif 000031
【図３０】
2005253782.tif 000032
【図３１】
2005253782.tif 000033
【図３２】
2005253782.tif 000034
【図３３】
2005253782.tif 000035
【図３４】
2005253782.tif 000036